(57)【要約】  【課題】  円滑なキー選択操作が可能で、かつ、マウス操作も可能な入力装置を提供することを課題とする。  【構成】 モニタ等のディスプレイの画面にポインタを表示する手段と該ポインタを移動する手段を具備する端末入力装置において、前記ディスプレイ上にマウスアイコン、キーボードアイコン又は両方を表示し、前記ポインタが前記マウスアイコン、キーボードアイコン又は双方を通過したときに該ディスプレイ上にマウス、キーボード又は両方を表示し、マウス、キーボード又は双方の操作を可能にしたことを特徴としている。【選択図】 図１
2005141552.tif 000002
【特許請求の範囲】
【請求項１】
モニタ等のディスプレイの画面にポインタを表示する手段と該ポインタを移動する手段を具備する端末入力装置において、前記ディスプレイ上にマウスアイコン、キーボードアイコン又は両方を表示し、前記ポインタが前記マウスアイコン、キーボードアイコン又は双方を通過したときに該ディスプレイ上にマウス、キーボード又は両方を表示し、マウス、キーボード又は双方の操作を可能にしたことを特徴とするポインタ移動による入力装置。
【請求項２】
前記マウス、キーボード又は双方の表示は、マウス、キーボードが表示されると共に前記ポインタが同時に表示され、該ポインタによって前記マウス又はキーボードが操作可能になることを特徴とする請求項１に記載のポインタ移動による入力装置。
【請求項３】
前記マウス、キーボードの双方を表示したときは、一方をアクティブ表示すると共に他方のアクティブ化マークを表示し、該アクティブ表示されたマウス又はキーボードの前記ポインタによる操作が可能になることを特徴とする請求項１又は請求項２の何れか１に記載のポインタ移動による入力装置。
【請求項４】
前記マウス、キーボードの双方表示した場合は、前記ポインタが前記他方のアクティブ化マークを通過したときに、前記アクティブ表示されたマウス又はキーボードの一方は非アクティブ化され、前記非アクティブ表示されたマウス又はキーボードの他方がアクティブ表示されることを特徴とする請求項１〜請求項３の何れか１に記載のポインタ移動による入力装置。
【請求項５】
前記アクティブ表示されたマウス又はキーボードはその要素が選択され、その後に選択された要素が決定されたときに、該要素の実行又はその内容を外部機器に出力するようにしたことを特徴とする請求項１〜請求項４の何れか１に記載のポインタ移動による入力装置。
【請求項６】
前記選択された要素の決定は、前記要素が選択されたときに確認マークを表示し、前記ポインタが該確認マークを通過したときに該要素を決定するようにしたことを特徴とする請求項１〜請求項５の何れか１に記載のポインタ移動による入力装置。
【請求項７】
前記ポインタ移動手段は眼の視線の動きに応じて前記ポインタを移動することを特徴とする請求項１〜請求項６の何れか１に記載のポインタ移動による入力装置。
【請求項８】
前記入力装置は、独立した構成にしたことを特徴とする請求項１〜請求項７の何れか１に記載のポインタ移動による入力装置。
【請求項９】
前記入力装置のディスプレイは、該入力装置を利用する計算機を含む外部機器の表示装置と兼用して同時表示可能にしたことを特徴とする請求項１〜請求項８の何れか１に記載のポインタ移動による入力装置。
【請求項１０】
モニタ等のディスプレイの画面にポインタを表示する手段と該ポインタを移動する手段を具備する端末入力装置において、前記ディスプレイ上にマウス領域を設けてマウスを表示し、該マウスは制御ポインタを移動させるための移動操作領域とクリック操作を行うためのクリックマークを具備することを特徴とするポインタ移動による入力装置。
【請求項１１】
前記移動操作領域は前記制御ポインタを左右上下又は斜め方向に移動させる操作釦を具備し、前記ポインタが前記何れかの操作釦を通過したときは該ポインタが通過した操作釦の方向に制御ポインタを移動するようにしたことを特徴とする請求項１０に記載のポインタ移動による入力装置。
【請求項１２】
前記制御ポインタの移動は、１回の操作による移動距離を変更可能、又は選択可能に構成したことを特徴とする請求項１０又は請求項１１の何れか１に記載のポインタ移動による入力装置。  
【請求項１３】
前記クリックマークは前記移動操作領域の外側に配置され、該クリックマークは左クリックマーク、ダブルクリックマーク及び右クリックマークを具備し、前記ポインタが何れかのクリックマークを通過したときはその通過したクリックマークに相当するクリックが実行されるようにしたことを特徴とする請求項１０〜請求項１２の何れか１に記載のポインタ移動による入力装置。
【請求項１４】
前記クリックマークは前記マークの他にクリック確認マークを具備し、前記クリックマークの何れかを通過した後に該クリック確認マークを通過したときに、その通過したクリックマークを実行するようにしたことを特徴とする請求項１０〜請求項１３の何れか１に記載のポインタ移動による入力装置。
【請求項１５】
モニタ等のディスプレイの画面にポインタを表示する手段と該ポインタを移動する手段を具備する入力装置において、前記ディスプレイ上の一部にキーボードを表示するキーボード表示手段と、表示された前記キーボード上にポインタを表示するポインタ表示手段と、前記ポインタの表示位置を移動させるポインタ移動手段と、前記ポインタの移動によって前記キーボード上のキーを選択し、選択されたキーを決定するキー決定手段と、決定されたキーの文字又は記号等のデータを計算機に出力するデータ出力手段と具備したことを特徴とするポインタ移動による入力装置。
【請求項１６】
前記データ出力手段は前記キー決定手段により決定されたキーの文字又は符号等の複数個のデータを出力表示部に表示し、該出力表示部に表示された内容を一括して出力可能にしたことを特徴とする請求項１５に記載のポインタ移動による入力装置。
【請求項１７】
前記キー決定手段は、前記キーボード上に配列されている文字又は記号の行を選択する行選択手段又は列を選択する列選択手段と、選択されたキーの文字又は記号を決定する決定手段とを具備していることを特徴とする請求項１５〜請求項１６の何れか１に記載のポインタ移動による入力装置。
【請求項１８】
前記キー選択手段は、前記行選択手段により行又は列を選択し、その後に、前記選択された行又は列のキー郡の中から所定のキーを選択することを特徴とする請求項１５〜請求項１７の何れか１に記載のポインタ移動による入力装置。
【請求項１９】
前記行又は列選択手段は、前記キーボード上に縦方向又は横方向に配置された境界線を前記ポインタが通過したときに、該ポインタの通過位置によって行又は列が選択されることを特徴とする請求項１４〜請求項１６の何れか１に記載のポインタ移動による入力装置。
【請求項２０】
前記キー選択手段は、前記選択された行又は列から外向きに前記ポインタが移動したときに、該ポインタの通過位置によって該選択された行又は列のキーが選択されることを特徴とする請求項１５〜請求項１９の何れか１に記載のポインタ移動による入力装置。
【請求項２１】
前記キー選択手段は、前記選択された行又は列の所定のキーに前記ポインタが外側から横切ったときに、該キーが選択されることを特徴とする請求項１５〜請求項２０の何れか１に記載のポインタ移動による入力装置。
【請求項２２】
前記キー選択手段は、前記ポインタが移動マークを通過したときに、次回に選択するキー位置を現在選択されているキー位置から相対的に上下左右に行又は列を移動するようにしたことを特徴とする請求項１５〜請求項２１の何れか１に記載のポインタ移動による入力装置。
【請求項２３】
前記キー決定手段は、前記所定のキーが選択されたときに確認マークを表示し、前記ポインタが該確認マークを通過したときに該選択されたキーの文字又は記号を決定することを特徴とする請求項１５〜請求項２２の何れか１に記載のポインタ移動による入力装置。
【請求項２４】
前記決定手段の前記確認マークは、前記キーボード上に所定の色を有する１個又は２個のバルーンを表示するようにしたことを特徴とする請求項１５〜請求項２３の何れか１に記載のポインタ移動による入力装置。
【請求項２５】
前記決定手段は、前記所定のキーが選択されたときに該キーボード上に確認マークを表示し、前記ポインタが該確認マークのある向きに斜め方向又は横方向に所定の距離移動したときに該選択されたキーの文字又は記号を決定することを特徴とする請求項１５〜請求項２４の何れか１に記載のポインタ移動による入力装置。
【請求項２６】
前記所定のキーが選択される前に、キー選択操作をやり直したときは、現在のキー選択操作は取り消されて前回の状態に戻るようにしたことを特徴とする請求項１５〜請求項２５の何れか１に記載のポインタ移動による入力装置。
【発明の詳細な説明】
【技術分野】
【０００１】
この発明は、手、特に指の操作に不具合のある者が計算機の端末装置からデータ入力又は操作を可能にする技術に関するものである。
【背景技術】
【０００２】
従来から計算機の端末装置、例えば、キーボードやマウス等は手、特に指先の細かな操作を必要とし、指先を自由に使えないものにとってはこれらの端末装置が自由に使えず、このためにＰＣのような計算機を自由に使えないという課題があった。この課題を解決するためにディスプレイ上にキーボード等を表示すると共にその近くにカメラを設置し、使用者にディスプレイ上のキーボードを注視させ、装置使用者の眼球の位置から視線方向を決定し、一定条件を満たした場合は視線方向にあるキーボー上のキーが選択されたものとして処理する入力装置が提案された。このような入力装置はポインティングデバイスと呼ばれており、非常に多くの文献に開示されている。このような文献としては、例えば、特許文献１〜特許文献３等がある。
【特許文献１】特開平１１−２８２６１７号
【特許文献２】特開２０００−０１０７２３号
【特許文献３】特開２００３−１９６０１７号
【０００３】
例えば、特許文献３では図１１に示すように、個々のキーからなる入力データ郡（キーボード等）を表示装置５０で表示し、その装置使用者の眼の部分をカメラ５２で撮影し、処理装置５３がその撮影画像からその装置使用者の視線方向を決定し、その視線方向に位置する入力データを決定し、その決定したデータを外部機器に出力するようにした装置である。この際、入力データの決定は、視線位置が一定時間以上キーボード上の一定の文字データにとどまっていた場合にその文字が選択されたものとして決定している。即ち、従来のポインティングデバイスでは視線方向が一定時間以上同一の個所（又は点）に留まっていることが必要である。
【発明の開示】
【発明が解決しようとする課題】
【０００４】
従来のポインティングデバイスでは、上記したように視線方向が一定時間以上同一のキー（又は個所）に留まっていることが必要であり、この留まっている一定時間を短くするとキーボードのキー選択を誤って決定するケースが大きくなり、また一定時間を長くすると円滑な入力操作ができなくなるという課題があった。従って、装置使用者はその一定時間を絶えず気にしながら入力操作を行う必要があり、課題であった。又、視線位置を同一の個所（又は点）に留まっていることが必要であるために、個々のキーを小さくすると選択の誤りが大きくなり、装置使用者にストレスを与えるなどの課題が生じ、キーボード全体を表示することができず、入力操作が複雑になるという課題があった。さらに、従来装置ではマウスの操作ができないために現在汎用されているパソコン（ＰＣ）に適用することが困難であった。
本発明は、上記事実に鑑みなされたものであり、円滑なキー選択操作が可能で、かつ、マウス操作も可能な入力装置を提供することを課題とする。  
【課題を解決するための手段】
【０００５】
本発明は上記の課題を解決するための手段として以下の構成を採用している。なお、請求項１〜請求項９の発明は入力装置全体に関するクレームを示し、請求項１０〜請求項１４の発明はマウスの構成に関するクレームを示す。また、請求項１５〜請求項２６の発明はキーボードに関するクレームを示す。
【０００６】
請求項１に記載の発明は、モニタ等のディスプレイの画面にポインタを表示する手段と該ポインタを移動する手段を具備する端末入力装置において、前記ディスプレイ上にマウスアイコン、キーボードアイコン又は両方を表示し、前記ポインタが前記マウスアイコン、キーボードアイコン又は両方を通過したときに該ディスプレイ上にマウス、キーボード又は両方を表示し、マウス、キーボード又は双方の操作を可能にしたことを特徴としている。
【０００７】
また、請求項２に記載の発明は、請求項１記載の発明において、前記マウス、キーボード又は両方の表示は、マウス、キーボードが表示されると共に前記ポインタが同時に表示され、該ポインタによって前記マウス又はキーボードが操作可能になることを特徴としている。
【０００８】
請求項３に記載の発明は、請求項１〜請求項２に記載の発明において、前記マウス、キーボードの双方を表示したときは、一方をアクティブ表示すると共に他方のアクティブ化マークを表示し、該アクティブ表示されたマウス又はキーボードの前記ポインタによる操作が可能になることを特徴としている。
また、請求項４に記載の発明は、請求項１〜請求項３に記載の発明において、前記マウス、キーボードの両方を表示した場合は、前記ポインタが前記他方のアクティブ化マークを通過したときに、前記アクティブ表示されたマウス又はキーボードの一方は非アクティブ化され、前記非アクティブ表示されたマウス又はキーボードの他方がアクティブ表示されることを特徴としている。
【０００９】
請求項５に記載の発明は、請求項１〜請求項４に記載の発明において、前記アクティブ表示されたマウス又はキーボードはその要素が選択され、その後に選択された要素が決定されたときに、該要素の実行又はその内容を外部機器に出力するようにしたことを特徴としている。
また、請求項６に記載の発明は、請求項１〜請求項５に記載の発明において、前記選択された要素の決定は、前記要素が選択されたときに確認マークを表示し、前記ポインタが該確認マークを通過したときに該要素を決定するようにしたことを特徴としている。
【００１０】
請求項７に記載の発明は、請求項１〜請求項６に記載の発明において、前記ポインタ移動手段は眼の視線の動きに応じて前記ポインタを移動することを特徴としている。
【００１１】
請求項８に記載の発明は、請求項１〜請求項７に記載の発明において、前記入力装置は、独立した構成にしたことを特徴としている。
また、請求項９に記載の発明は、請求項１〜請求項７に記載の発明において、前記入力装置のディスプレイは、該入力装置を利用する計算機を含む外部機器の表示装置と兼用して同時表示可能にしたことを特徴としている。
【００１２】
請求項１０に記載の発明は、モニタ等のディスプレイの画面にポインタを表示する手段と該ポインタを移動する手段を具備する端末入力装置において、前記ディスプレイ上にマウス領域を設けてマウスを表示し、該マウスはコントロールポインタを移動させるための移動操作領域とクリック操作を行うためのクリックマークを具備することを特徴としている。
本発明はマウスの具備する構成要素を規定している。
【００１３】
請求項１１に記載の発明は、請求項１０に記載の発明において、前記移動操作領域は制御ポインタを左右上下又は斜め方向に移動させる操作釦を具備し、前記ポインタが前記何れかの操作釦を通過したときは該ポインタが通過した操作釦の方向に該制御ポインタを移動するようにしたことを特徴としている。
本発明は、制御ポインタの移動がポインタ（操作ポインタ）の移動操作によって行われることが主な特徴の１つである。
【００１４】
請求項１２に記載の発明は、請求項１０〜請求項１１に記載の発明において、前記制御ポインタの移動は、１回の操作による移動距離を変更可能、又は選択可能に構成したことを特徴としている。
請求項１３に記載の発明は、請求項１０〜請求項１２に記載の発明において、前記クリックマークは前記移動操作領域の外側に配置され、該クリックマークは左クリックマーク、ダブルクリックマーク及び右クリックマークを具備し、前記ポインタが何れかのクリックマークを通過したときはその通過したクリックマークに相当するクリックが実行されるようにしたことを特徴としている。
【００１５】
請求項１４に記載の発明は、請求項１０〜請求項１３に記載の発明において、前記クリックマークは前記マークの他にクリック確認マークを具備し、前記クリックマークの何れかを通過した後に該クリック確認マークを通過したときに、その通過したクリックマークを実行するようにしたことを特徴としている。
【００１６】
請求項１５に記載の発明は、モニタ等のディスプレイの画面にポインタを表示する手段と該ポインタを移動する手段を具備する入力装置において、前記ディスプレイ上の一部にキーボードを表示するキーボード表示手段と、表示された前記キーボード上にポインタを表示するポインタ表示手段と、前記ポインタの表示位置を移動させるポインタ移動手段と、前記ポインタの移動によって前記キーボード上のキーを選択し、選択されたキーを決定するキー決定手段と、決定されたキーの文字又は記号等のデータを計算機に入力するデータ入力手段と具備したことを特徴としている。
本発明はキーボードの具備する構成要素について規定している。
【００１７】
請求項１６に記載の発明は、請求項１５に記載の発明において、前記データ出力手段は前記キー決定手段により決定されたキーの文字又は符号等の複数個のデータを出力表示部に表示し、該出力表示部に表示された内容を一括して出力可能にしたことを特徴としている。
本発明は一群の文字又は記号を一括して出力可能にしたことを主な特徴としている。
【００１８】
請求項１７に記載の発明は、請求項１５〜請求項１６の何れか１に記載の発明において、前記キー決定手段は、前記キーボード上に配列されている文字又は記号の行を選択する行選択手段又は列を選択する列選択手段と、選択されたキーの文字又は記号を決定する決定手段とを具備していることを特徴としている。
また、請求項１８に記載の発明は、請求項１５〜請求項１７に記載の発明において、前記キー選択手段は、前記行選択手段により行又は列を選択し、その後に、前記選択された行又は列のキー郡の中から所定のキーを選択することを特徴としている。
請求項１９に記載の発明は、請求項１５〜請求項１８に記載の発明において、前記行又は列選択手段は、前記キーボード上に縦方向又は横方向に配置された境界線を前記ポインタが通過したときに、該ポインタの通過位置によって行又は列が選択されることを特徴としている。
【００１９】
請求項２０に記載の発明は、請求項１５〜請求項１９に記載の発明において、前記キー選択手段は、前記選択された行又は列から外向きに前記ポインタが移動したときに、該ポインタの通過位置によって該選択された行又は列のキーが選択されることを特徴としている。
また、請求項２１に記載の発明は、請求項１５〜請求項２０に記載の発明において、前記キー選択手段は、前記選択された行又は列の所定のキーに前記ポインタが外側から横切ったときに、該キーが選択されることを特徴としている。
【００２０】
請求項２２に記載の発明は、請求項１５〜請求項２１に記載の発明において、前記キー選択手段は、前記ポインタが移動マークを通過したときに、次回に選択するキー位置を現在選択されているキー位置から相対的に上下左右に行又は列を移動するようにしたことを特徴としている。
本発明はキー位置の相対的な選択方法を可能にしたことを主な特徴としている。
【００２１】
請求項２３に記載の発明は、請求項１５〜請求項２２に記載の発明において、前記キー決定手段は、前記所定のキーが選択されたときに確認マークを表示し、前記ポインタが該確認マークを通過したときに該選択されたキーの文字又は記号を決定することを特徴としている。
請求項２４に記載の発明は、請求項１５〜請求項２３に記載の発明において、前記決定手段の前記確認マークは、前記キーボード上にオレンジ色等の所定の色を有する１個又は２個のバルーンを表示するようにしたことを特徴としている。
また、請求項２５に記載の発明は、請求項１５〜請求項２４に記載の発明において、前記決定手段は、前記所定のキーが選択されたときに該キーボード上に確認マークを表示し、前記ポインタが該確認マークのある向きに斜め方向又は横方向に所定の距離移動したときに該選択されたキーの文字又は記号を決定することを特徴としている。
【００２２】
請求項２６に記載の発明は、請求項１５〜請求項２５に記載の発明において、前記所定のキーが選択される前に、キー選択操作をやり直したときは、現在のキー選択操作は取り消されて前回の状態に戻るようにしたことを特徴としている。
【発明の効果】
【００２３】
請求項１〜請求項７記載の発明によれば、ポインタの移動操作によって、マウスの操作及びキーボードの両方の操作が可能となる結果、手先（特に指先）に不自由な人にとっても、パソコン等の操作が可能になるという効果が得られる。また、確認マークを表示させるようにしたことにより、正確な操作が可能になるという効果が得られる。また、請求項８記載の発明によれば市販のパソコンに接続可能に構成されているので、実施が容易であるという効果が得られる。
【００２４】
請求項１０〜請求項１４記載の発明によれば、マウスの円滑な操作が可能となるので、文書の制御、メールの送受信等の制御が手先（特に指先）に不自由な人にとっても容易になるという効果が得られる。また、これらの操作は（操作）ポインタをマーク等通過させればよく、マーク上に一定時間止めておくという操作を必要としないので操作が容易であるという効果が得られる。又、請求項１４記載の発明によれば確認マークを表示するようにしたので正確な操作が可能になるという効果が得られる。
【００２５】
請求項１５〜請求項２６記載の発明によれば、キー選択の手段が従来のポインティングデバイスに比べて容易かつ正確になっているので、必要なキーを全て含んだキーボードをモニタに同時表示できるので操作が容易なるという効果が得られる。また、請求項２２記載の発明によれば、キー位置を相対的な方法により決定できるようにしたので、キーの選択が容易になっているという効果も得られる。また、確認マークを表示可能にしているのでキーの決定が正確に行われるという効果も得られる。さらに、
請求項１６では、出力表示部に表示させ、一括して出力可能にしたのでキー操作が便利になるという効果が得られる。
【発明を実施するための最良の形態】
【００２６】
「実施形態１」
以下本発明の実施形態１を図に基づいて説明する。実施形態１は入力装置５を計算機１と別個に設けた場合の実施形態である。図１は実施形態１の全体構成図を示す。図２は全体構成の処理手続きのフローチャートを示す。図１において、１はＰＣ（パソコン）等の計算機で、計算機１の表示内容はディスプレイ２に表示される。計算機１とディスプレイ２はコード３で接続されている。ディスプレイ２には現在、トップ画面の内容、例えばアイコンＥ１〜Ｅ４、及び制御ポインタ４が表示されている。入力装置５はモニタ６と処理装置７及びポインタ移動装置８とから構成されている。処理装置７はコード９によりモニタ６に接続されている。また、モニタ６には現在トップ画面を表示しており、マウスアイコン６ａ、キーボードアイコン６ｂ、操作ポインタ６ｃ及びチェックマーク６ｄ（以下、ＯＫアイコンという。）が表示されている。
【００２７】
操作ポインタ６ｃを移動操作するための手段として入力装置５の使用者の視線方向を検出するための撮影カメラ８をモニタ６に内臓させた場合を示している。しかし、撮影カメラ８はモニタ６の外側に別個独立に設けてもよい。又、ポインタ移動装置８は入力装置使用者の視線を利用する場合に限られず、足や手（又は腕）を利用するものであってもよい。モニタ６及び撮影カメラ８はコード９によって処理装置７に接続されており、処理装置７は、更に計算機１のマウス信号入力端子、キーボード信号入力端子（何れも引用番号省略）に接続されている。処理装置７は撮影カメラ８で撮影された入力装置使用者の眼の撮影画像を処理して、眼の位置の変化に応じて視線方向の変化を検出し、操作ポインタ６ｃを移動させる。なお、視線方向の変化を検出する技術は従来技術を使用する。１１は赤外線等を使用した電源スイッチで、入力装置使用者がモニタ６の前に来るとモニタ電源をオンにし、使用者がモニタ６から離れると一定時間経過後にモニタ電源をオフにする。
【００２８】
図２において、ステップＳ１は入力装置５の電源をオンにする。実施形態１では装置使用者がモニタ６の前に座ると自動的に電源がオンになる。電源がオンになると、自動的にステップＳ２に移行し、最初に図１に示すようなトップ画面がモニタ６に表示される。ステップＳ３では装置使用者が視線を移動させて、マウス表示、キーボード表示、又は、双方表示を行う。これらの表示は、例えば以下のように動作する。装置使用者が眼を閉じて所定時間（例えば１分）経過後に眼を開けると操作ポインタ６ｃが所定の位置（例えば、中央左寄り側）に表示され、視線を希望するアイコン（例えば、マウスアイコン６ａとキーボードアイコン６ｂ）の上を通過するように移動させ、最後にＯＫアイコン６ｄを通過させる（図３（Ａ）参照）。
【００２９】
すると図３（Ｂ）に示すように、マウス１３がアクティブに表示され、キーボード１４が非アクティブに表示される。或いは、これらの両者のアクティブ表示、非アクティブ表示は逆にしても良い。同時に非アクティブ表示された方（例えば、キーボード１４）はアクティブマーク１４ａが表示され、アクティブ表示された方（例えば、マウス１３）のアクティブマーク１３ａは表示されない。キーボード１４をアクティブに表示するにはポインタ６ｃがアクティブマーク１４ａを通過するように移動させる。これによって、キーボード１４がアクティブ表示され、マウス１３のアクティブ化アイコン１３ａが同時に表示される。
【００３０】
マウス１３又はキーボード１４の一方のみを表示させたい場合は表示させたいアイコンを操作ポインタが通過するように移動させ、その後にＯＫアイコン６ｄを通過させる（ステップＳ４〜Ｓ７）。これによってマウス１３、キーボード１４、又は双方が表示され、マウス操作又はキーボード操作が可能になる。なお、これらの表示後、トップ画面に戻る場合は、例えば、操作ポインタ６ｃをモニタ６の表示範囲から外側に出し、モニタ６の左側から右側へ（又は、上から下に）視線を走らせる。また、マウス１３又はキーボード１４の一方のみを表示させた場合はアクティブマーク１３ａ、１４ａは表示されない。
【００３１】
図４はモニタ６にマウス６ａの内容１３が表示された場合を示す。マウス１３は略中央に制御ポインタ４（図１に示すディスプレイのポインタ）を移動させるための楕円状離散リング１５（１５ａ、１５ｂ、１５ｃ、・・）、クリックマーク１６、確認マーク１７を具備している。離散リング１５の各釦１５ａ、１５ｂ、１５ｃ、・・は制御ポインタ４の移動方向を示す。即ち、図４では、釦１５ａは上向きに、釦１５ｂは左上斜め向きに、釦１５ｃは左横向きに、・・というように、上下、左右、斜め４方向の全８方向に移動可能に構成されている。制御ポインタ４の移動は、例えば図４に示すように、操作ポインタ６ｃがリング１５の内側から釦１５ｂを通過してリング１５の外側に移動したときに、制御ポインタ４を左上斜め方向にある距離（一定距離又は、部分１５ｂを通過する速度に反比例した距離）移動させる。但し、リング１５の外側から内側に操作ポインタが移動したときには制御ポインタ４は移動させない（勿論移動させる構成にしてもよい）。従って、図４に示すように、釦１５ｂを繰り返して通過させたときは、その通過回数に応じて左上斜め方向に移動する。
【００３２】
なお、制御ポインタ４の移動距離を選択できるようにしてもよい。例えば、「標準、１／４、１／２、２倍、４倍」等の距離拡大マーク１８を設けておいて、操作ポインタ６ｃが離散リング１５を通過した後に距離拡大マーク１８を通過させて選択できるようにしてもよい。標準距離は予め定められた所定の距離を意味し、１／４、１／２、２倍、４倍は標準距離の倍数を示す。
【００３３】
クリックマーク１６は、少なくとも左クリックＬ、ダブルクリックＷ、右クリックＲの３種類のクリックマークから構成されている。操作ポインタ６ｃがクリックマーク１６を通過すると、通過したクリックマーク（Ｌ，Ｗ，Ｒ）の色が変化（又は、点滅）し、更に、確認マーク１７を通過したときにのみ、通過したクリックが有効になる。確認マーク１７を通過する前に他のクリックマーク１７を通過させたときは最後に通過したクリックマークが有効になり、前に通過したクリックマークは取り消される。図４では操作ポインタ６ｃがクリックマークＷを通過した後確認マーク１７を通過しているので、ダブルクリックが行われた場合を示している。なお、図４では、クリック操作を容易にするため、左右にクリックマーク１６を表示したが、何れか一方でもよい。又、確認マーク１７は１個でもよい。なお、図４のマーク１４ａはキーボード１４のアクティブマークで操作ポインタ６ｃがこのマーク１４ａを通過させると、キーボード表示に切り換る。
【００３４】
図５はマウス操作の手順を示すフローチャートである。図５において、ステップＳ１１では操作ポインタ６ｃをリング１５の外側に向けて移動させ、制御ポインタ４を移動させる。ステップＳ１２では、操作ポインタ６ｃを一回操作するごとにその信号を処理装置７はコード１０を通じて計算機１に出力され、計算機１が制御ポインタ４を所定量移動させる。ステップＳ１３では、制御ポインタが希望位置に移動したか否かを装置使用者が確認し、希望位置に移動した場合はステップＳ１４でクリック操作を行う。ステップＳ１５で操作されたクリックマーク（Ｌ，Ｗ，Ｒ）の色の変化等が表示される。ステップＳ１６ではクリック操作が正しく行われた場合は操作ポインタ６ｃを移動して確認マーク１７を通過させる。ステップＳ１７ではクリックされた信号が計算機１に出力され、クリック操作が実行される。
【００３５】
上記したように、マウス１３は通常のパソコンに使用されているマウスと同様な機能を有する。例えば、アイコン操作をしてワード文書を開いたり、閉じたり、或いはメールの送受信等の操作もできる。更に、ワード文書（又は送信メール）で文書を書き始メール位置を定めるためのカーソル表示又はカーソルの移動も可能である。
【００３６】
図６はモニタ６にキーボード６ｂの内容１４が表示された場合を示す。図６のキー領域２０には８３（６ｘ１４−１＝８３）個のキーがある。なお、図６でキー文字（記号も含む）を簡略化して表示している。例えば「ＣＬ」はＣａｐｓＬｏｃｋを意味し、「Ｓｈ」はＳｈｉｆｔを意味する。図６において、キー領域２０の上側及び左右両側に設けられている斜線部２１、２２はアクティブ化領域を示し、このアクティブ化領域から境界線２３（太い実線で示されている）を超えてキー領域２０に操作ポインタ６ｃを移動させた場合にはキー領域２０の１行（又は１列）がアクティブ化される。例えば、操作ポインタ６ｃをアクティブ化領域２１のコマ（ｃ７）からキー領域２０に移動（進入）させた場合はキー領域２０の７列目のキー全体がアクティブにされる。同様に、操作ポインタ６ｃをアクティブ化領域２２のコマ（ｒ３）からキー領域２０に移動（進入）させた場合はキー領域２０の３行目のキー全体がアクティブにされる。アクティブにされた行又は列は表示色が変化する（例えば、オレンジ色に変化させる）。これによって、キー領域２０の行又は列の選択が可能になる。
【００３７】
さらに、アクティブにされた行又は列から所定のキーを選択するには、例えば操作ポインタ６ｃをアクティブにされた行又は列の内部から外側に向けて移動させる、或いは、操作ポインタ６ｃがアクティブにされた行又は列を横切ったときに通過したキーを選択するようにする。１個のキーが選択された場合はそのキーを選択色に変化させると共に、確認マーク（例えば、２個の赤色のバルーン表示）２４を適当な位置、例えば、キー領域中に表示し、操作ポインタ６ｃが確認マーク２４を通過したときにそのキー選択は決定され、キーの内容が計算機１に出力される。例えば、ローマ字入力で「Ｙ，Ａ，Ｍ，Ａ」を入力し、漢字変換で「山」を出力する場合の例を図８に示す。ステップＳ３１〜Ｓ３４は「Ｙ」の選択、決定で、ステップＳ３５〜Ｓ３８は「Ａ」の選択、決定で、ステップＳ３９〜Ｓ４０は漢字変換の選択、決定を示す。
【００３８】
上記したキー選択方法は絶対的位置を選択する方法であるが、この代わりに相対的位置の選択方法を利用することができる。例えば、図６に示すように、左移動マーク２５、右移動マーク２６、上移動マーク２７、下移動マーク２８をキー領域２０の下側に表示させておく。操作ポインタ６ｃがこれらのマーク２５〜２８の何れかを１回横切った（通過した）ときに現在選択されているキーをそのマークに従って、左右上下のいずれかの方向に１こま分だけ移動する。新しく選択されたキーは選択色に変化し、前のキーは元の色に戻す。同時に確認マーク２４をも表示する。複数コマ、或いは上下左右の適当なキー位置に移動させたい場合は確認マーク２４を通過しないで移動マーク２５〜２８を適当な回数だけ通過させればよい。なお、移動マーク２５〜２８は、誤操作を少なくするために、操作ポインタ６ｃが上から下に向かって通過したときのみ有効に動作し、下から上に向かって通過したときは無視するようにしてもよい。
【００３９】
図７はキー操作の手順を示すフローチャートである。図７において、ステップＳ２１ではキーの選択をする。図７ではキーの絶対的位置を選択する方法を示しているが、キーの選択は上で説明した相対的方法によって選択してもよい。ステップＳ２２では選択されたキーが正しければ、操作ポインタ６ｃが確認マーク２４を通過させる。これによって選択されたキーが決定される。ステップ２３では決定されたキーの内容のデータが計算機に出力される。
【００４０】
なお、図６に示すように、キーボード領域に出力表示部２９を設けておいて、選択、決定されたキー内容を一時的に出力表示部２９に表示し、表示された内容を一括して出力できるようにしてもよい。例えば、図８に示す例では、「Ｙ、Ａ、Ｍ、Ａ、変換」を個々に出力する代わりに、これらのデータを出力表示部２９に表示しておいて、「山」というデータを出力するようにしてもよい。出力表示部２９にはカーソルが表示され、カーソルの移動を行って、「Ｄｅｌ（削除）」、「Ｂｓ（後方削除）」等の利用により、データ出力前に簡単な編集もできるようになっている。２個のキーを同時操作する必要のあるキー（例えば、「Ｓｈｉｆｔ」キー、「Ｃｔｒｌ」キー）の操作は他のキー（例えば移動矢印キーと
【００４１】
「実施形態２」
実施形態１では、入力装置５を計算機１と独立にソフトウエア及びハードウエアを構成して、出力信号を計算機１に出力するようにしている。これは、現在使用されている機器（計算機等）に接続するだけであり、実現が容易である。しかし、計算機１のディスプレイ２と入力装置５のモニタ６と２個の表示装置を使用するために使用が煩雑になるという恐れがある。そこで、実施形態２では計算機３１に必要なソフトウエアを記憶し、操作ポインタの移動装置３３の信号を入力する構成にした。移動装置３３は視線方向を検出するためのカメラ３３ａと視線位置を算出し、その結果を出力する処理装置３３ｂとから構成した例を図示しているが、実施形態１と同様に、手又は腕の動き（指先の動きではない）を利用したものでもよいし、足の動きを利用したものでもよい。この移動装置３３は従来技術を使用して構成してもよいし、別の技術を使用してもよい。
【００４２】
図９はトップ画面を表示した場合を示している。ディスプレイ３２には複数のアイコン３４（例えば、３４ａ〜３４ｄ）と制御ポインタ３５が表示されると共に実施形態１の場合と同様に、マウスアイコン３６ａ、キーボードアイコン３６ｂ、操作ポインタ３６ｃ及び確認アイコン３６ｄが表示される。アイコン３６ａ〜３６ｄは上記アイコン３４ａ〜３４ｄ、３５と明確に区別可能にするために画面の下側半分に表示してもよい。なお、アイコン操作及び機能は実施形態１で述べたものと同じ構成にしてもよいし、部分的な修正、変更を含めてもよい。
【００４３】
図１０はＥ−メール（又はワード作成書類）４１とキーボード４３（及びマウスアクティブ化マーク４２ａ）とを表示させた場合を示す。図１０に示すように、Ｅ−メール４１にはカーソル４１ａが点滅表示される他に制御ポインタ３５を表示する。制御ポインタ３５はＥ−メール４１の枠内に入った場合は文書の読み書きに邪魔にならないように表示図形を変化させる（現在のワード文書方式と同様にする）。キーボード４３は実施形態１と同じ機能、同じ操作方法でもよし、或いは簡略にしたものでもよい。なお、文書作成、編集ははキーボードで行うがメールの送信、受信等や、ワード文書のファイル制御等はマウスを表示させて行うようにするのが望ましい。
【００４４】
以上本発明の実施形態を図面に基づいて詳述してきたが、本発明の技術的範囲はこれに限られるものではなく、各請求項に記載された発明及びこれらと実質的に同一の発明も本発明の技術的範囲に属する。
【図面の簡単な説明】
【００４５】
【図１】実施形態１の全体構成を示す。
【図２】実施形態１の手順の流れを示す。
【図３】実施形態１のトップ画面の操作例を示す。
【図４】マウスの構成例を示す。
【図５】マウスの手順の流れを示す。
【図６】キーボードの構成例を示す。
【図７】キーボードの手順の流れを示す。
【図８】キーボードを使用して文字「山」を出力する例を示す。
【図９】実施形態２の全体構成を示す。
【図１０】実施形態２における文書画面の例を示す。
【図１１】従来装置の例を示す。
【符号の説明】
【００４６】
１        計算機
２        ディスプレイ
５        入力装置
６        モニタ
６ａ    マウスアイコン  
６ｂ    キーボードアイコン
６ｃ    操作ポインタ（ポインタ）
６ｄ    チェックマーク
７        処理装置
８        撮影カメラ（操作ポインタ移動装置）
１１      電源スイッチ
１３      マウス
１３ａ  マウスアクティブマーク  
１４      キーボード
１４ａ  キーボードアクティブマーク
１５      楕円状離散リング
１５ａ、１５ｂ、１５ｃ、・・・  移動釦    
１６      クリックマーク
１７      確認マーク
２０      キー領域
２１、２２  アクティブ化領域
２３        境界線
２５〜２８  移動釦
３１        計算機
３２        ディスプレイ
３３        操作ポインタ移動装置
３５        制御ポインタ
３６        アイコン
４１        文書画面
４３        キーボード画面
【図１】
2005141552.tif 000003
【図２】
2005141552.tif 000004
【図３】
2005141552.tif 000005
【図４】
2005141552.tif 000006
【図５】
2005141552.tif 000007
【図６】
2005141552.tif 000008
【図７】
2005141552.tif 000009
【図８】
2005141552.tif 000010
【図９】
2005141552.tif 000011
【図１０】
2005141552.tif 000012
【図１１】
2005141552.tif 000013